(57)【特許請求の範囲】
【請求項１】
内部に空間を有し、水膜が張らない外側開口を下部に有する側面と底とを有する外側中空体と、
内部に空間を有し、前記外側中空体の内部に少なくとも一部が収容され、前記外側中空体の内面との間で水膜が張らないように配置された外面、前記外側開口を通って前記外側中空体の内部に浸入した水が直接は当たらない位置に設けられた水膜が張らない内側開口、前記内側開口よりも上側に設けられて前記外側中空体の外部と連通した上部開口、および底を有する内側中空体とを備えた防水通気具。
【請求項２】
前記外側中空体の内部に侵入した水が重力により前記外側中空体の外部に排出される位置に前記外側開口を設けたことを特徴とする請求項１に記載の防水通気具。
【請求項３】
前記内側中空体の内部に侵入した水が重力により前記内側中空体の外部に排出される位置に前記内側開口を設けたことを特徴とする請求項１または請求項２に記載の防水通気具。
【請求項４】
前記内側開口に流体が下方から入ることを防止する流路制限部を有することを特徴とする請求項１から請求項３までの何れか１項に記載の防水通気具。
【請求項５】
前記外側中空体が、互いに対向する位置に設けられた２つの前記外側開口を有することを特徴とする請求項１から請求項４までの何れか１項に記載の防水通気具。
【請求項６】
前記内側中空体が、互いに対向する位置に設けられた２つの前記内側開口を有することを特徴とする請求項１から請求項５までの何れか１項に記載の防水通気具。
【請求項７】
前記外側中空体が、互いに対向する位置に設けられた２つの前記外側開口を有し、
前記内側中空体が、互いに対向する位置に設けられた２つの前記内側開口を有することを特徴とする請求項１から請求項４までの何れか１項に記載の防水通気具。
【請求項８】
２つの前記外側開口が対向する方向と２つの前記内側開口が対向する方向とを直交させることを特徴とする請求項７に記載の防水通気具。
【請求項９】
上底および下底を有する筒である前記外側中空体の下底である外側底、上底および下底を有する筒である前記内側中空体の下底である内側底、前記外側底と前記内側底を結ぶ連結部を有する底部材と、
前記外側底と共に前記外側中空体を構成する外側筒、前記内側底と共に前記内側中空体を構成する内側筒を有する二重筒部材とを有することを特徴とする請求項１から請求項８までの何れか１項に記載の防水通気具。
【請求項１０】
前記外側筒が、下底側に前記外側底との間に前記外側開口ができるように設けられた切欠きを有し、
前記内側筒が、下底側に前記内側底との間に前記内側開口ができるように設けられた切欠きを有することを特徴とする請求項９に記載の防水通気具。
【請求項１１】
電子機器と、
前記電子機器を収容し、底面に通気孔を有する筐体と、
前記通気孔と前記上部開口が連通するように前記筐体に取付けられた請求項１から請求項１０までの何れか１項に記載の防水通気具とを備えた電子機器装置。
【発明の詳細な説明】
【技術分野】
【０００１】
この発明は、屋外に設置される電子機器装置が有する筐体の内部と外部を連通する通気孔に設けられる防水通気具、この防水通気具を備えた電子機器装置に関する。
【背景技術】
【０００２】
従来、屋外に設置される電子機器装置が有する筐体の内部と外部を連通する通気孔に設けられる防水通気構造として、壁体内に空気は通すが水は通さない性質を有する撥水性微多孔部材（防水通気シートと呼ぶ）が設けられ、それを覆うようにラビリンス構造を設けた防水通気構造が知られている（特許文献１）。
【先行技術文献】
【特許文献】
【０００３】
【特許文献１】特開２０１４−１２０５７９号公報
【発明の概要】
【発明が解決しようとする課題】
【０００４】
屋外に設置された電子機器装置は、激しい風雨にさらされる場合がある。また、船舶などに搭載された場合には、波などがかかる場合もある。特許文献１の防水通気構造では、以下のような問題点がある。ラビリンス構造の開口部あるいは内部に水が滞留し、通気の流路を閉塞する場合がある。この状態で筐体の内部が負圧（内部の圧力が外気圧よりも小さい状態）になると、防水通気シートを超えて水を吸入する場合がある。下方向あるいは斜め下方向から強噴流が直撃した際に、防水通気シートまで直接的に水流が当たる。様々な環境負荷により防水通気シートが劣化し、防水性あるいは通気性が損なわれる。【０００５】
この発明は上記のような問題点を解決するためになされたものであり、決められた防水性能を持つと共に、防水通気具が水にさらされた後に防水通気具が取付けられた筐体の内部に空気が入り込む場合でも、筐体内部への水の侵入を防止できることを目的とする。
【課題を解決するための手段】
【０００６】
この発明に係る防水通気具は、外側中空体と内側中空体とを備える。外側中空体は、内部に空間を有し、水膜が張らない外側開口を下部に有する側面と底とを有する。内側中空体は、内部に空間を有し、外側中空体の内部に少なくとも一部が収容される。内側中空体の外面は、外側中空体の内面との間で水膜が張らないように配置される。内側中空体は、内側開口と上部開口、および底を有する。内側開口は、外側開口を通って外側中空体の内部に浸入した水が直接は当たらない位置に、水膜が張らないように設けられる。上部開口は、内側開口よりも上側に設けられ、外側中空体の外部と連通する。
【発明の効果】
【０００７】
この発明に係る防水通気具によれば、決められた防水性能を持つと共に、防水通気具が水にさらされた後に防水通気具が取付けられた筐体の内部に空気が入り込む場合でも、筐体内部への水の侵入を防止できる。
【図面の簡単な説明】
【０００８】
【図１】この発明の実施の形態１に係る防水通気具を有する電子機器装置の断面図である。
【図２】実施の形態１に係る防水通気具を有する電子機器装置の下から見た平面図である。
【図３】実施の形態１に係る防水通気具の斜視図である。
【図４】実施の形態１に係る防水通気具の平面図である。
【図５】実施の形態１に係る防水通気具の図４に示すＢ−Ｂ線での垂直断面図である。
【図６】実施の形態１に係る防水通気具の図４に示すＣ−Ｃ線での垂直断面図である。
【図７】実施の形態１に係る防水通気具の図５に示すＤ−Ｄ線での水平断面図である。
【図８】実施の形態１に係る防水通気具の図５に示すＥ−Ｅ線での水平断面図である。
【図９】実施の形態１に係る防水通気具の構造を説明するための図６に示すＦ−Ｆ線での垂直断面図である。
【図１０】実施の形態１に係る防水通気具の構造を説明するための図５に示すＧ−Ｇ線での垂直断面図である。
【図１１】実施の形態１に係る防水通気具の構造を説明するための図６に示すＦ−Ｆ線で切断した防水通気具の斜視図である。
【図１２】実施の形態１に係る防水通気具の構造を説明するための図５に示すＧ−Ｇ線で切断した防水通気具の斜視図である。
【図１３】実施の形態１に係る防水通気具の構造を説明するための上側の一部を破断した防水通気具の斜視図である。
【図１４】実施の形態１に係る防水通気具が有する二重筒部材の構造を説明するための上側の一部を破断した二重筒部材の斜視図である。
【図１５】実施の形態１に係る防水通気具が有する底部材の斜視図である。
【図１６】実施の形態１に係る防水通気具の外側開口から上面の筐体側孔までの経路を説明する図である。
【発明を実施するための形態】
【０００９】
実施の形態１
図１および図２を使用して、この発明の実施の形態１に係る防水通気具を有する電子機器装置の構造を説明する。図１は、この発明の実施の形態１に係る防水通気具を有する電子機器装置の断面図である。図２は、実施の形態１に係る防水通気具を有する電子機器装置の下から見た平面図である。図１は、防水通気具を通る位置である図２に示すＡ−Ａ線での断面図である。
【００１０】
電気を使用する機器である電子機器１（図示せず）は、筐体２に収容される。筐体２の底面には通気孔３が設けられている。通気孔３の下には、防水通気具４が取付けられている。防水通気具４は、通気孔３と筐体２の外部との間で空気が行き来して連通させる。同時に、防水通気具４は、水が通気孔３から筐体２の内部に入らないように防水する。防水通気具４の筐体２への取付け方法は、接着材、ネジ止めなど、適切な方法による。
【００１１】
図３から図１５を使用して、実施の形態１に係る防水通気具の構造を説明する。図３は、実施の形態１に係る防水通気具の斜視図である。図４は、実施の形態１に係る防水通気具の平面図である。図５は、実施の形態１に係る防水通気具の図４に示すＢ−Ｂ線での垂直断面図である。図６は、実施の形態１に係る防水通気具の図４に示すＣ−Ｃ線での垂直断面図である。図７は、実施の形態１に係る防水通気具の図５に示すＤ−Ｄ線での水平断面図である。図８は、実施の形態１に係る防水通気具の図５に示すＥ−Ｅ線での水平断面図である。図９は、実施の形態１に係る防水通気具の構造を説明するための図６に示すＦ−Ｆ線での垂直断面図である。図１０は、実施の形態１に係る防水通気具の構造を説明するための図５に示すＧ−Ｇ線での垂直断面図である。図１１は、実施の形態１に係る防水通気具の構造を説明するための図６に示すＦ−Ｆ線で切断した防水通気具の斜視図である。図１２は、実施の形態１に係る防水通気具の構造を説明するための図５に示すＧ−Ｇ線で切断した防水通気具の斜視図である。図１３は、実施の形態１に係る防水通気具の構造を説明するための上側の一部を破断した防水通気具の斜視図である。図１４は、実施の形態１に係る防水通気具が有する二重筒部材の構造を説明するための上側の一部を破断した二重筒部材の斜視図である。図１５は、実施の形態１に係る防水通気具が有する底部材の斜視図である。
【００１２】
図３に示すように、防水通気具４は、その外形が上底および下底を有する円筒であり、高さ３ｃｍ程度で直径が２ｃｍ程度である。防水通気具４の上面には、通気孔３の内径とほぼ同じ外径を持ったボス５と、ボス５に設けられた筐体側孔６を有する。側面の下部には、互いに対向するように設けられた２つの外側開口７を有する。外側開口７の形は、上側の角を丸くした台形である。外側開口７が設けられた側面、底面および上面は、内部に空間を有する外側中空体８を構成している。ボス５の上部が通気孔３の内部に入った状態で、筐体２に取付けられる。筐体側孔６は、通気孔３と連通する上部開口である。
【００１３】
ここで、図３に示すように、互いに直交するｘ軸、ｙ軸、ｚ軸の方向を定義する。ｚ軸は、防水通気具４の上面に垂直な方向すなわち高さ方向である。ｘ軸とｙ軸は上面に平行な平面内に存在する。ｘ軸が２つの外側開口７が対向する方向すなわち２つの外側開口７の中心を結ぶ直線に平行な方向である。ｙ軸はｘ軸およびｚ軸に垂直な方向である。防水通気具４はｘｚ平面及びｙｚ平面において、ｚ軸に対して線対称な形状である。
【００１４】
図４に、防水通気具４の構造を説明するためのｚ軸を含む平面である垂直断面の位置を示す。Ｂ−Ｂ断面は、防水通気具４の図における右半分をｘｚ平面に平行な断面とし、左半分を側面から見た図とする断面である。Ｃ−Ｃ断面は、防水通気具４の図における右半分をｙｚ平面に平行な断面とし、左半分を側面から見た図とする断面である。
【００１５】
図５に、防水通気具４の構造を説明するためのｘｙ平面に平行な平面である水平断面の位置を示す。Ｄ−Ｄ断面は、内側中空体９が存在する部分での水平断面である。Ｅ−Ｅ断面は、内側中空体９の下側での水平断面である。
【００１６】
図１３に示しているように、防水通気具４は円筒状の外側中空体８の内部空間の上部にもう１つの中空体である内側中空体９を有する構造である。内側中空体９は、上底および下底を有する円筒状である。内側中空体９の下部にも、互いに対向する２つの内側開口１０が設けられている。２つの内側開口１０が対向する方向、すなわち２つの内側開口１０の中心を結ぶ直線は、ｙ軸に平行である。内側開口１０の形は、角を丸くした台形である。
【００１７】
防水通気具４は、上底を共通にして下底が開放された中心軸が同じ位置になるように配置された二重の円筒を有する二重筒部材１１と、二重筒部材１１が有する２つの円筒の開放された下底をふさぐ底部材１２とから構成される。図１４に示すように、二重筒部材１１の外側筒１３の下底側すなわち下端には、互いに対向する位置に２つの台形状の切欠き１４が設けられている。内側筒１５の長さは外側筒１３の３０％程度とする。内側筒１５の下底側すなわち下端にも互いに対向する位置に２つの台形状の切欠き１６が設けられている。外側筒１３の２つの切欠き１４の中心を結ぶ直線と、内側筒１５の２つの切欠き１６の中心を結ぶ直線とは、互いに直交している。厳密には、これら２本の直線は同一平面上になく、ねじれの位置にある。この明細書での直交とは、どちらかの直線を平行移動させて、２本の直線が同一平面上に存在させた状態で２本の直線が直交する場合も意味する。外側筒１３の切欠き１４は、底部材１２が有する外側筒１３の下底との間に外側開口７ができるように設けられる。内側筒１５の切欠き１６も、底部材１２が有する内側筒１５の下底との間に内側開口１０ができるように設けられる。
【００１８】
外側中空体８の下底に接して外側開口７を設けているので、外側中空体８の内部に入った水は重力により外側開口７から排出される。内側中空体９の下底に接して内側開口１０を設けているので、内側中空体９の内部に入った水は重力により内側開口１０から排出される。
【００１９】
外側筒１３の下部の対向する位置には、二重筒部材１１と底部材１２とを一体にするために使用される２つの爪収納穴１７が設けられている。２つの爪収納穴１７の断面形状は同じで、角を丸くした長方形である。２つの爪収納穴１７は、外側筒１３の下端から同じ高さの位置にある。
【００２０】
図１５に示すように、底部材１２は、内側筒１５と嵌合する円形の突起１８を有する内側底１９と、外側筒１３の開放された下底をふさぐ外側底２０と、内側底１９と外側底２０とを結ぶ連結部である２つの脚２１とを有する。
【００２１】
２つの脚２１のそれぞれは、その外側の下部に同じ高さの位置に脚２１の半分の幅の爪２２を設けている。脚２１の爪２２が外側筒１３の爪収納穴１７に入り嵌合することで、二重筒部材１１と底部材１２とが一体になる。そして、外側筒１３と外側底２０とで、外側中空体８が構成される。内側筒１５と内側底１９とで、内側中空体９が構成される。爪２２と爪収納穴１７の位置は、爪２２が爪収納穴１７に入った状態で外側底２０の下端と外側筒１３の下端とが一致する位置である。図１２に示すように、底部材１２の中心を通りｚ軸を含む平面での爪２２の断面形状は、下側が直線で上側が円弧である中心角が９０度である扇型である。
【００２２】
図９と図１０に破線の楕円で示すように、外側中空体８の内部の空間は大まかに３つに分けられる。１つ目は内側中空体９よりも下側の空間である下部空間２３である。２つ目は内側中空体９の内部の空間である上部空間２４である。３つ目は内側中空体９の下底よりも上で、かつ内側中空体９の外の空間である連絡空間２５である。図９に示すように、下部空間２３と連絡空間２５とは、外側筒１３の外側開口７が設けられている部分の内側で連通している。図１０に示すように、内側筒１５の内側開口１６が設けられている部分の下方には底部材１２の脚２１が存在するために、この部分では下部空間２３と連絡空間２５とは連通しない。図１０に示すように、連絡空間２５と上部空間２４とは内側開口１０により連通している。当然ながら、内側筒１５の内側開口１０が設けられていない部分では、連絡空間２５と上部空間２４とが連通することはない。
【００２３】
開口および空間の寸法に関する変数を以下のように定義する。これらの変数を、図６に示す。
Ｈ１：下部空間２３の高さ
Ｈ２：外側開口７の高さ
Ｈ３：上部空間２４の高さ
Ｈ４：内側開口１０の高さ
Ｗ  ：外側筒１３の内面と内側筒１５の外面の間の距離
【００２４】
外側開口７および内側開口１０は、表面張力により水膜が張らないように、形状と大きさを決める。外側筒１３の内面と内側筒１５の外面の間に水膜が張らないように、その間の距離Ｗも形状に応じて十分に大きくする。
【００２５】
この実施の形態１では、Ｈ１／Ｈ２＞２、Ｈ３／Ｈ４＞１．５の関係を持たせている。同じＨ２に対して、Ｈ１／Ｈ２を大きくするほど、外側開口７から下部空間２３に入った水が内側開口１０まで到達する確率を小さくできる。同様に、同じＨ４に対して、Ｈ３／Ｈ４を大きくすれば、内側開口１０から上部空間２４に入った水が筐体側孔６まで到達する確率を小さくできる。下部空間２３に入った水が内側開口１０まで到達する確率は、Ｈ１／Ｈ２が同じであれば、Ｈ１が大きいほど小さくなる。上部空間２４に入った水が筐体側孔６まで到達する確率は、Ｈ３／Ｈ４が同じであれば、Ｈ３が大きいほど小さくなる。防水通気具の各部の寸法は、確保すべき通気量、設置できるスペースの制約などに応じて適切に決める。
【００２６】
次に、この実施の形態１における防水通気具４が防水する動作を説明する。防水通気具４は、ＪＩＳ規格「電気機械器具の外郭による保護等級（ＪＩＳ  Ｃ  ０９２０）」の保護等級６（ＩＰＸ６）を満足するものである。保護等級６（ＩＰＸ６）では、「あらゆる方向からの強い噴流水による有害な影響がない（耐水形）」ことが必要である。
【００２７】
防水通気具４では、防水のために以下の３つの構造を持たせている。
（Ａ）外側開口７の断面積よりも内部空間の断面積を大きくする急拡大管の構造。
（Ｂ）外側開口７から筐体側孔６までの経路を何度も曲げるラビリンス構造。
（Ｃ）開口および内部に表面張力で水膜が張らない構造。
【００２８】
まず、防水通気具４が有する急拡大管の構造による噴流水に対する防水の動作について説明する。２つの外側開口７と下部空間２３は、ｘ軸方向の管路として見ることができる。図１０から分かるように、外側開口７の幅と下部空間の幅はほぼ同じなので、管路の外側開口７での断面積と下部空間２３での断面積の比は、高さの比（＝Ｈ１／Ｈ２）とほぼ同じになる。つまり、外側開口７から入る水に対して、断面積が２倍以上に急拡大するいわゆる急拡大管を形成している。防水通気具４の外部から内部に流入する水の流れは、ｘ軸方向の流れが主となると考えられる。ｘ軸方向に流入する水の流れは外側開口７から入ってすぐの急拡大部分で乱れ、損失を生じる。そのため、外側開口７よりも上へ行く水の量を減少させる効果がある。
【００２９】
また、２つの外側開口７は互いに対向しているので、外部から流入する水の流れは、その大半が流入してきた外側開口７の反対側の外側開口７から流れ落ちる。また、このように、防水通気具４全体の大きさに対してある程度大きな外側開口７が２つあることで、そのいずれか一方の外側開口７が、連続して流入する水や異物により通気性能が失われた場合でも、もう一方の外側開口７で通気を確保することができる。また、内側中空体９の内部で上方に移動しようとし、その後重力などにより落下してきた水も、防水通気具４の外部に流れ出しやすい構造になっている。
【００３０】
噴流水の方向がｘ軸方向に対して斜めである場合は、外側開口７の有効断面積が小さくなり、防水通気具４の内部に水が入りにくくなる。ｘ軸方向に対して斜めの噴流水に対しては、断面積が徐々に拡大することになるが、断面積の拡大の度合いも大きくなる。そのため、水流の勢いをそぐ効果は、ｘ軸方向の場合に対して大きくは低下しないと思われる。
【００３１】
次に、防水通気具４が持つラビリンス構造の特徴及び効果を説明する。図１６は、実施の形態１に係る防水通気具の外側開口から上面の筐体側孔までの経路を説明する断面図である。内側開口１０の径方向外側の下には脚２１が存在するので、下部空間２３から直接には、内側開口１０の径方向外側の連絡空間２５に移動できないため、以下のような経路になる。図１６（Ａ）に示すように、外側開口７から上面の筐体側孔６までの経路２６は、外側開口７を入った直後の位置またはもう１つの外側開口７を出る直前の位置までに上側に向きが変えられ、下部空間２３から連絡空間２５に入る。図１６（Ｂ）に示すように、経路２６は、外側筒１３と内側筒１５の間を内側開口１０の方へ約４分の１周して、内側開口１０から上部空間２４に入る。図１６（Ｃ）に示すように、経路２６は、上部空間２４内部で上側に向きを変えて、筐体側孔６に到達する。このように、外側開口７から上面の筐体側孔６まで到達するには、少なくとも４回は直角に近い角度で向きを変える必要がある。また、この経路は、重力に逆らって上に行く経路である。
【００３２】
外側開口７から内側開口１０を見通すことはできない。内側開口１０は外側開口７を通って外側中空体８の内部に浸入した水が直接は当たらない位置に設けられている。内側開口１０の径方向のすぐ外側の下には脚２１が存在するので、内側開口１０に入る流体は、おもに連絡空間２５を水平方向に移動してくる。これは、脚２１が内側開口１０の下方から入ることを防止する流路制限部として機能していることを意味する。底部材の脚の上部に、内側開口１０への下方からの流路を制限するための部材を取付けるようにしてもよい。また、内側底と外側底を別の部材として、内側底に内側開口への下方からの流路を制限するための部材を設けてもよい。
【００３３】
外側開口７から防水通気具４の内部に入った流体（水または水を含む空気）は、防水通気具４の内部で何度も防水通気具４の内部壁面にぶつかることになり、勢いが弱められる。断面積が小さい連絡空間２５の前には、下部空間２３という比較的、断面積が大きい経路が存在するので、断面積の増加により流体の勢いが弱められ、連絡空間２５に入る水の量は小さくなる。また、勢いが弱められているので、連絡空間２５に入った水のほとんどは、重力により下部空間２３の方へ落ちる。
【００３４】
連絡空間２５から内側開口１０を経て内側中空体９の内部空間である上部空間２４に入った流体は、連絡空間２５での流路の断面積が内側開口１０および上部空間２４で大きくなるので、流体の勢いが弱められ、上部空間２４に入った水のほとんどは重力により内側底１９に落ちる。
【００３５】
内側中空体９の２つの内側開口１０は互いに対向しているので、一方の内側開口１０から内側中空体９の内部に入った水はもう一方の内側開口１０から流れ出る。あるいは、内側中空体９の内側面で反射した水は、勢いが減少して底面に落ち、内側開口１０から流れ出る。
【００３６】
防水通気具４が有する開口および内部に表面張力で水膜が張らない構造について説明する。外側開口７の形状と大きさを水膜が張らない形状と大きさとしているので、大量の噴流水が外側開口７を一時的にふさいでも、その後に水膜ができない。連絡空間２５の間隔Ｗは水膜が張らないような間隔としているので、連絡空間２５に水が溜まることはない。内側開口１０の開口面すべてをふさぐような水が一度に内側開口１０に到達する事態が発生することはまず考えられないが、仮にそのような事態が発生したとしても、内側開口１０の形状と大きさを水膜ができない程度の形状と大きさとしているので、内側開口１０をふさぐ水膜として残ることはない。底部材１２の脚２１と外側筒１３の間には下に向かうほど狭くなる隙間がある。この隙間に水が残る可能性があるが、流体が流れる経路からは外れているので、防水上の問題とはならない。なお、底部材の形状を変えて、脚と外側筒の間に空間ができないようにしてもよい。
【００３７】
開口の形状と大きさや連結空間の形状と間隔は、防水通気具の素材の親水性を考慮して決める。撥水性を有する素材の場合は、経年劣化などにより撥水性が低下しても水膜が発生しないように決める。
【００３８】
防水通気具４は、筐体の縦横の寸法が３５０ｍｍ程度の屋外設置用の筐体の通気孔に取付けた状態で、ＪＩＳ規格「電気機械器具の外郭による保護等級（ＪＩＳ  Ｃ  ０９２０）」の保護等級６（ＩＰＸ６）で規定されている防水試験を実施した。その結果は、屋外設置用の筐体の内部に水の侵入はなく、ＩＰＸ６規格を満足することを確認している。
【００３９】
さらに、筐体に負圧が発生する状態でもＪＩＳ規格の保護等級５（ＩＰＸ５）を満足することを確認している。保護等級５（ＩＰＸ５）では、「あらゆる方向からの噴流水による有害な影響がない（防噴流形）」ことが必要である。
【００４０】
試験方法を説明する。試験前に電子機器装置の全体及び筐体内部の空気の温度を上昇させる。ＪＩＳ規格の保護等級５（ＩＰＸ５）に規定されている防水試験を開始するとすぐに筐体の内部を強制的に冷却して、防水試験中に約４０℃の温度差を発生させ、防水試験中の電子機器装置の内部に負圧状態を作り出す。この評価試験でも、電子機器装置内部の十分な防水性を確保できる。さらに、防水通気具の開口部及び防水通気具の内部に水膜が張ることなく、電子機器装置の内外の通気を確保できる。
【００４１】
防水通気具４は、二重筒部材１１と底部材１２という２つの部材で構成されており、容易に組立てることができる。底部材１２の上面には内側筒１９の内面に嵌合する円盤状の突起１８を設けているので、底部材１２を二重筒部材１１に組み付ける際に、内側底１９のｘｙ平面内での位置ズレを抑制する。また、円盤状の突起１８により底部材１９を内側筒１５の中心に保持し、爪２１と貫通穴１７による嵌合のガタを抑制している。これにより別途接着部材等を用いることなく、この防水通気具の流路を所望の寸法および形状に維持することができる。
【００４２】
この実施の形態１では、防水通気具の外形を円筒状としたが、角筒状、円錐台状、角錐台状、多面体状、楕円球状などでもよい。外側中空体の上底と内側中空体の上底を共通にしたが、内側中空体の上部が外側中空体から飛び出してもよい。内側中空体の少なくとも一部が外側中空体の内部に収容され、内側開口が外側中空体の内部に入っていれば、防水通気具はどのような形状でもよい。
【００４３】
防水通気具の部材の中で、筐体の通気孔と連通する上部開口を有する側の部材を、筐体と一体に形成してもよい。
【００４４】
外側開口を２つとしたが、１つまたは３つ以上してもよい。内側開口も、１つまたは３つ以上してもよい。中空体の開口を１つにすることは、１つの開口を大きくでき、水膜が張らない大きさの開口とする上では有利である。外側開口を同じ形状と大きさを有する２つの開口としたが、小さい方でも水膜が張らない形状と大きさとした上で、開口の形状と大きさのどちらかまたは両方が異なるようにしてもよい。内側開口に関しても、小さい方でも水膜が張らない形状と大きさとした上で、開口の形状と大きさのどちらかまたは両方が異なるようにしてもよい。
【００４５】
２つの外側開口が対向する方向と２つの内側開口が対向する方向は、必ずしも直交しなくてもよい。外側開口から入った水が直接は当たらない位置に内側開口が配置できていればよい。同じ形状と大きさの２つの外側開口と、同じ形状と大きさの２つの内側開口が、その対向する方向が直交するように配置することで、どの開口でも同じ防水性能を持つことができる。
【００４６】
防水規格としては、ＪＩＳとは別の規格を使用してもよい。ＪＩＳ規格でも、保護等級６（ＩＰＸ６）よりも厳しいまたは緩やかな規格に対しても、この発明は適用できる。規格によらず独自に決めた防水性能を満足させる場合でも、この発明は適用できる。
本願発明はその発明の精神の範囲内において実施形態の変形、省略が可能である。
【符号の説明】
【００４７】
１：電子機器
２：筐体
３：通気孔
４：防水通気具
５：ボス
６：筐体側孔
７：外側開口
８：外側中空体
９：内側中空体
１０：内側開口
１１：二重筒部材
１２：底部材
１３：外側筒
１４：切欠き
１５：内側筒
１６：切欠き
１７：爪収納穴
１８：突起
１９：内側底
２０：外側底
２１：脚（流路制限部）
２２：爪
２３：下部空間
２４：上部空間
２５：連絡空間
２６：経路
【要約】
屋外に設置される電子機器装置の筐体を、決められた防水性能を持つと共に、防水通気具が水にさらされた後に防水通気具が取付けられた筐体の内部に空気が入り込む場合でも、筐体内部への水の侵入を防止できるようにする防水通気具である。
防水通気具は、外側中空体（８）と内側中空体（９）とを備える。外側中空体（８）は、内部に空間を有し、水膜が張らない外側開口（７）を側面下部に有する。内側中空体（９）は、内部に空間を有し、外側中空体（８）の内部に少なくとも一部が収容される。内側中空体（９）の外面は、外側中空体（８）の内面との間で水膜が張らないように配置される。内側中空体（９）は、内側開口（１０）と上部開口（６）を有する。内側開口（１０）は、外側開口（７）を通って外側中空体（８）の内部に浸入した水が直接は当たらない位置に、水膜が張らないように設けられる。上部開口（６）は、内側開口（１０）よりも上側に設けられ、外側中空体（８）の外部と連通する。【図１】
0005991454.tif 000002
【図２】
0005991454.tif 000003
【図３】
0005991454.tif 000004
【図４】
0005991454.tif 000005
【図５】
0005991454.tif 000006
【図６】
0005991454.tif 000007
【図７】
0005991454.tif 000008
【図８】
0005991454.tif 000009
【図９】
0005991454.tif 000010
【図１０】
0005991454.tif 000011
【図１１】
0005991454.tif 000012
【図１２】
0005991454.tif 000013
【図１３】
0005991454.tif 000014
【図１４】
0005991454.tif 000015
【図１５】
0005991454.tif 000016
【図１６】
0005991454.tif 000017